(57)【要約】【課題】積み重ねられた状態で互いに固定された複数のポケットがめくり易い、ポケットファイルを提供する。【解決手段】複数のポケット１５０が厚さ方向に積み重ねられることにより形成されたポケット群１００と、ポケット群１００が固定される表紙体２０とを備えるポケットファイル１０であって、ポケット群１００は、表紙体２０の内面に固定される略直線状の固定領域７０と、固定領域７０に相対し且つ複数のポケット１５０を捲る際に指が掛けられる指掛け端縁（左端縁１０６および右端縁１０８）とを含み、指掛け端縁は、複数のポケット１５０それぞれの固定領域７０から指掛け端縁までの長さ寸法が厚さ方向において最も裏表紙部４０側に位置するポケット１５０から最も裏表紙部４０と離れた側に位置するポケット１５０に向かうほど順次短くなることにより、階段状に形成される。【選択図】図１
2017165088.tif 000002
【特許請求の範囲】
【請求項１】
複数のポケットが厚さ方向に積み重ねられることにより形成されたポケット群と、前記ポケット群が固定される表紙体とを備えるポケットファイルであって、
前記ポケット群は、前記複数のポケットそれぞれが互いに固定され且つ前記表紙体の内面に固定される略直線状の固定領域と、前記固定領域に相対し且つ前記複数のポケットを捲る際に指が掛けられる指掛け端縁とを含み、
前記指掛け端縁は、前記複数のポケットそれぞれの前記固定領域から前記指掛け端縁までの長さ寸法が前記厚さ方向において一方端側に位置するポケットから他方端側に位置するポケットに向かうほど順次短くなることにより、階段状に形成されることを特徴とする、ポケットファイル。
【請求項２】
前記複数のポケットそれぞれの前記固定領域から前記指掛け端縁までの長さ寸法が、前記厚さ方向において一方端側に位置するポケットから他方端側に位置するポケットに向かうほど、等間隔に順次短くなる、請求項１に記載のポケットファイル。
【請求項３】
前記複数のポケットそれぞれは、互いに同じ形状および同じ寸法であり、且つ前記指掛け端縁に相対する端縁において他の指掛け端縁を有し、前記指掛け端縁と前記他の指掛け端縁とを結ぶ方向に順次ずれて積み重ねられ、且つ前記指掛け端縁と前記他の指掛け端縁との間の略中央部分に前記固定領域を有し、
前記他の指掛け端縁は、前記複数のポケットそれぞれの前記固定領域から前記他の指掛け端縁までの長さ寸法が前記厚さ方向において一方端側に位置するポケットから他方端側に位置するポケットに向かうほど順次長くなり、前記指掛け端縁が傾斜する方向と同じ方向に傾斜する、請求項１または２に記載のポケットファイル。
【請求項４】
前記表紙体は、厚さ方向に見て略矩形状の表表紙部と、前記ポケットファイルを閉じた状態にしたとき、前記ポケット群を介して前記表表紙部に対向する厚さ方向に見て略矩形状の裏表紙部と、前記表表紙部と前記裏表紙部を一体的に接続する背表紙部とを含み、
前記表表紙部および前記裏表紙部のそれぞれは、高さ方向における一方の端縁側又は他方の端縁側から高さ方向に沿って見たとき、厚さ方向に膨れ出た円弧を描くように湾曲する可撓性を有し、
前記表表紙部の前記背表紙部に接続されない側の幅方向の端縁には切欠き部が形成され、前記切欠き部は、高さ方向に沿って延在する幅方向の端縁を有し、且つ前記幅方向の端縁が前記ポケット群の階段状に形成された指掛け端縁とさらに階段状になる、請求項１ないし請求項３のいずれかに記載のポケットファイル。
【請求項５】
複数のポケットが厚さ方向に積み重ねられることにより形成されたポケット群であって、
前記複数のポケットそれぞれが互いに固定される略直線状の固定領域と、前記固定領域に相対し且つ前記複数のポケットを捲る際に指が掛けられる指掛け端縁とを含み、
前記指掛け端縁は、前記複数のポケットそれぞれの前記固定領域から前記指掛け端縁までの長さ寸法が前記厚さ方向において一方端側に位置するポケットから他方端側に位置するポケットに向かうほど順次短くなることにより、階段状に形成されることを特徴とする、ポケット群。
【請求項６】
前記複数のポケットそれぞれの前記固定領域から前記指掛け端縁までの長さ寸法が、前記厚さ方向において一方端側に位置するポケットから他方端側に位置するポケットに向かうほど、等間隔に順次短くなる、請求項５に記載のポケット群。
【請求項７】
前記複数のポケットそれぞれは、互いに同じ形状および同じ寸法であり、且つ前記指掛け端縁に相対する端縁において他の指掛け端縁を有し、前記指掛け端縁と前記他の指掛け端縁とを結ぶ方向に順次ずれて積み重ねられ、且つ前記指掛け端縁と前記他の指掛け端縁との間の略中央部分に前記固定領域を有し、
前記他の指掛け端縁は、前記複数のポケットそれぞれの前記固定領域から前記他の指掛け端縁までの長さ寸法が前記厚さ方向において一方端側に位置するポケットから他方端側に位置するポケットに向かうほど順次長くなり、前記指掛け端縁が傾斜する方向と同じ方向に傾斜する、請求項５または６に記載のポケット群。
【発明の詳細な説明】
【技術分野】
【０００１】
この発明は、ポケットファイルおよびポケット群に関し、特に、表紙体およびその表紙体に積層された状態で固定されている複数のポケットを含むポケットファイルと、そのようなポケットファイルに用いることができ、複数のポケットを積層することにより形成されたポケット群とに関する。
【背景技術】
【０００２】
この発明の背景となる従来のポケットファイルの一例が、たとえば実開昭５５−９９８８０号公報に開示されている（特許文献１参照）。特許文献１に開示されているファイル（ポケットファイル）は、表表紙に背表紙を介して裏表紙が連なる表紙体と、この表紙体の内面側に設けられた複数枚のポケットとにより構成されている。ポケットは、それらの中央部が背表紙に溶着部を設けることによって表紙体に一体化されている。
このようなファイルによれば、表表紙と裏表紙に跨る大きさとなる一端開放型のポケットを多数枚重ね合わせた状態で、それらの中央部を背表紙に溶着して溶着部を形成するため、表表紙と裏表紙の各内面側に、それぞれポケットが形成できることとなる。
【先行技術文献】
【特許文献】
【０００３】
【特許文献１】実開昭５５−９９８８０号公報
【発明の概要】
【発明が解決しようとする課題】
【０００４】
ところが、特許文献１に開示されているファイルでは、重ね合わせた複数のポケットの端部が重ね合わせた方向ないしは積層方向に見てそろっているので、ポケットをめくる際にポケットに指がかけにくく、ポケットがめくりにくい。
【０００５】
それゆえに、この発明の主たる目的は、積み重ねられた状態で互いに固定された複数のポケットがめくり易い、ポケットファイルを提供することである。
この発明の他の目的は、積み重ねられた状態で互いに固定された複数のポケットがめくり易いポケット群を提供することである。
【課題を解決するための手段】
【０００６】
この発明に係るポケットファイルは、複数のポケットが厚さ方向に積み重ねられることにより形成されたポケット群と、ポケット群が固定される表紙体とを備えるポケットファイルであって、ポケット群は、複数のポケットそれぞれが互いに固定され且つ表紙体の内面に固定される略直線状の固定領域と、固定領域に相対し且つ複数のポケットを捲る際に指が掛けられる指掛け端縁とを含み、指掛け端縁は、複数のポケットそれぞれの固定領域から指掛け端縁までの長さ寸法が厚さ方向において一方端側に位置するポケットから他方端側に位置するポケットに向かうほど順次短くなることにより、階段状に形成されることを特徴とする。
好ましくは、複数のポケットそれぞれの固定領域から指掛け端縁までの長さ寸法が、厚さ方向において一方端側に位置するポケットから他方端側に位置するポケットに向かうほど、等間隔に順次短くなる。
好ましくは、複数のポケットそれぞれは、互いに同じ形状および同じ寸法であり、且つ指掛け端縁に相対する端縁において他の指掛け端縁を有し、指掛け端縁と他の指掛け端縁とを結ぶ方向に順次ずれて積み重ねられ、且つ指掛け端縁と他の指掛け端縁との間の略中央部分に固定領域を有し、他の指掛け端縁は、複数のポケットそれぞれの固定領域から他の指掛け端縁までの長さ寸法が厚さ方向において一方端側に位置するポケットから他方端側に位置するポケットに向かうほど順次長くなり、指掛け端縁が傾斜する方向と同じ方向に傾斜する。
好ましくは、表紙体は、厚さ方向に見て略矩形状の表表紙部と、ポケットファイルを閉じた状態にしたとき、ポケット群を介して表表紙部に対向する厚さ方向に見て略矩形状の裏表紙部と、表表紙部と裏表紙部を一体的に接続する背表紙部とを含み、表表紙部および裏表紙部のそれぞれは、高さ方向における一方の端縁側又は他方の端縁側から高さ方向に沿って見たとき、厚さ方向に膨れ出た円弧を描くように湾曲する可撓性を有し、表表紙部の背表紙部に接続されない側の幅方向の端縁には切欠き部が形成され、切欠き部は、高さ方向に沿って延在する幅方向の端縁を有し、且つ幅方向の端縁がポケット群の階段状に形成された指掛け端縁とさらに階段状になる。
この発明に係るポケット群は、複数のポケットが厚さ方向に積み重ねられることにより形成されたポケット群であって、複数のポケットそれぞれが互いに固定される略直線状の固定領域と、固定領域に相対し且つ複数のポケットを捲る際に指が掛けられる指掛け端縁とを含み、指掛け端縁は、複数のポケットそれぞれの固定領域から指掛け端縁までの長さ寸法が厚さ方向において一方端側に位置するポケットから他方端側に位置するポケットに向かうほど順次短くなることにより、階段状に形成されることを特徴とする。
好ましくは、複数のポケットそれぞれの固定領域から指掛け端縁までの長さ寸法が、厚さ方向において一方端側に位置するポケットから他方端側に位置するポケットに向かうほど、等間隔に順次短くなる。
好ましくは、複数のポケットそれぞれは、互いに同じ形状および同じ寸法であり、且つ指掛け端縁に相対する端縁において他の指掛け端縁を有し、指掛け端縁と他の指掛け端縁とを結ぶ方向に順次ずれて積み重ねられ、且つ指掛け端縁と他の指掛け端縁との間の略中央部分に固定領域を有し、他の指掛け端縁は、複数のポケットそれぞれの固定領域から他の指掛け端縁までの長さ寸法が厚さ方向において一方端側に位置するポケットから他方端側に位置するポケットに向かうほど順次長くなり、指掛け端縁が傾斜する方向と同じ方向に傾斜する。
【０００７】
この発明にかかるポケットファイルおよびポケット群では、それぞれ、積層された状態で固定されている複数のポケットは、表紙体に固定される固定領域と、当該固定領域に相対する端縁である指掛け端縁とを結ぶ方向に順次ずれて階段状に形成されるため、ポケットをめくる際にポケットに指が掛り易く、ポケットが一枚一枚めくり易くなる。
【発明の効果】
【０００８】
この発明によれば、積み重ねられた状態で互いに固定されたポケットがめくり易い、ポケットファイルおよびポケット群が得られる。
【０００９】
この発明の上述の目的、その他の目的、特徴および利点は、図面を参照して行う以下の発明を実施するための形態の説明から一層明らかとなろう。
【図面の簡単な説明】
【００１０】
【図１】この発明の第１の実施の形態に係るポケットファイルの真ん中の頁を見開いた状態で内面側から見たときの斜視図である。
【図２】この発明の第１の実施の形態に係るポケットファイルの真ん中の頁を見開いた状態で内面側から見たときの正面図である。
【図３】この発明の第１の実施の形態に係るポケットファイルの真ん中の頁を見開いた状態のときの底面図である。
【図４】この発明の第１の実施の形態に係るポケットファイルの図３に示すＩＶ部拡大図である。
【図５】この発明の第１の実施の形態に係るポケットファイルの図３に示すＶ部拡大図である。
【図６】この発明の第１の実施の形態に係るポケットファイルの底面図であり、（Ａ）が真ん中の頁を見開いたときの図であり、（Ｂ）が裏表紙部側に全ての頁を捲ったときの図である。
【図７】この発明の第１の実施の形態に係るポケットファイルの使用状態を示す図である。
【図８】この発明の第１の実施の形態に係るポケットファイルを閉じた状態の底面図である。
【図９】この発明の第１の実施の形態に係るポケットファイルが備えるポケット群単体の正面図である。
【図１０】この発明の第１の実施の形態に係るポケットファイルが備えるポケット群単体の底面図である。
【図１１】この発明の第１の実施の形態に係るポケットファイルが備える表紙体単体の正面図（内面側から見た図）である。
【図１２】この発明の第１の実施の形態に係るポケットファイルが備える表紙体単体の背面図（外面側から見た図）である。
【図１３】この発明の第１の実施の形態に係るポケットファイルが備える表紙体にポケット群を固定する様子を底面側からみた模式図である。
【図１４】この発明の第２の実施の形態に係るポケットファイルの真ん中の頁を見開いた状態で内面側から見たときの斜視図である。
【図１５】この発明の第２の実施の形態に係るポケットファイルの真ん中の頁を見開いた状態で内面側から見たときの正面図である。
【図１６】この発明の第２の実施の形態に係るポケットファイルの底面図であり、（Ａ）が真ん中の頁を見開いたときの図であり、（Ｂ）が裏表紙部側に全ての頁を捲ったときの図である。
【図１７】この発明の第３の実施の形態に係るポケットファイルの真ん中の頁を見開いた状態で内面側から見たときの斜視図である。
【図１８】この発明の第３の実施の形態に係るポケットファイルを閉じた状態にし、表表紙部の外面側から見たときの斜視図である。
【図１９】この発明の第３の実施の形態に係るポケットファイルの真ん中の頁を見開いた状態で内面側から見たときの正面図である。
【図２０】この発明の第３の実施の形態に係るポケットファイルの真ん中の頁を見開いた状態で外面側から見たときの正面図である。
【図２１】この発明の第３の実施の形態に係るポケットファイルを閉じた状態にし、表表紙部の外面側から見たときの正面図である。
【図２２】この発明の第３の実施の形態に係るポケットファイルの図２１に示すＸＸＩＩ−ＸＸＩＩ断面図である。
【図２３】この発明の第３の実施の形態に係るポケットファイルの好適な使用態様を示す説明図である。
【図２４】この発明の変形例に係るポケットファイルの正面図である。
【発明を実施するための形態】
【００１１】
（第１の実施の形態）
以下、この発明の第１の実施の形態に係るポケットファイルについて、図１〜１３に基づいて説明する。図１は、この発明の第１の実施の形態に係るポケットファイルの真ん中の頁を見開いた状態で内面側から見たときの斜視図である。図２は、この発明の第１の実施の形態に係るポケットファイルの真ん中の頁を見開いた状態で内面側から見たときの正面図である。図３は、この発明の第１の実施の形態に係るポケットファイルの真ん中の頁を見開いた状態のときの底面図である。図４は、この発明の第１の実施の形態に係るポケットファイルの図３に示すＩＶ部拡大図である。図５は、この発明の第１の実施の形態に係るポケットファイルの図３に示すＶ部拡大図である。図６は、この発明の第１の実施の形態に係るポケットファイルの底面図であり、（Ａ）が真ん中の頁を見開いたときの図であり、（Ｂ）が裏表紙部側に全ての頁を捲ったときの図である。図７は、この発明の第１の実施の形態に係るポケットファイルの使用状態を示す図である。図８は、この発明の第１の実施の形態に係るポケットファイルを閉じた状態の底面図である。図９は、この発明の第１の実施の形態に係るポケットファイルが備えるポケット群単体の正面図である。図１０は、この発明の第１の実施の形態に係るポケットファイルが備えるポケット群単体の底面図である。図１１は、この発明の第１の実施の形態に係るポケットファイルが備える表紙体単体の正面図（内面側から見た図）である。図１２は、この発明の第１の実施の形態に係るポケットファイルが備える表紙体単体の背面図（外面側から見た図）である。図１３は、この発明の第１の実施の形態に係るポケットファイルが備える表紙体にポケット群を固定する様子を底面側からみた模式図である。
【００１２】
この実施の形態に係るポケットファイル１０は、表紙体２０と、表紙体２０の内面に固定されるポケット群１００とを備える。以下の説明において、高さ方向とは、ポケットファイル１０を見開いて正面視したときの上下方向のことである。また、幅方向とは、ポケットファイル１０を見開いて正面視したときの左右方向（固定領域と指掛け端縁とを結ぶ方向）のことである。また、厚さ方向とは、ポケット群１００に含まれる複数のポケット１５０が積み重ねられる方向のことである。
【００１３】
（表紙体２０）
表紙体２０は、表表紙部３０と、裏表紙部４０と、表表紙部３０と裏表紙部４０とを一体的に接続する背表紙部５０とを含む。表紙体２０は、例えば、合成樹脂により成形された平板状の部材が、その内面側から高さ方向に沿って熱ヒンジ加工されることにより、表表紙部３０、裏表紙部４０及び背表紙部５０を含むように形成されてもよい。
【００１４】
表表紙部３０は、高さ方向における一方の端縁である上端縁３２と、当該上端縁３２に相対する高さ方向における他方の端縁である下端縁３４と、幅方向における一方の端縁である左端縁３６と、当該左端縁３６に相対する幅方向における他方の端縁（背表紙部５０と一体的に接続される端縁）である右端縁３８とを有する。裏表紙部４０は、高さ方向における一方の端縁である上端縁４２と、当該上端縁４２に相対する高さ方向における他方の端縁である下端縁４４と、幅方向における一方の端縁（背表紙部５０と一体的に接続される端縁）である左端縁４６と、当該左端縁４６に相対する幅方向における他方の端縁である右端縁４８とを有する。背表紙部５０は、高さ方向における一方の端縁である上端縁５２と、当該上端縁５２に相対する高さ方向における他方の端縁である下端縁５４と、幅方向における一方の端縁（表表紙部３０と一体的に接続される端縁）である左端縁と、当該左端縁に相対する幅方向における他方の端縁（裏表紙部４０と一体的に接続される端縁）である右端縁とを有する。背表紙部５０の外面には、見出し部６０が形成される。見出し部６０は、例えば、見出し紙を外部から視認できる状態で収納することができる。見出し紙には、例えば、ポケットファイル１０に収納する書類等のタイトルを記載することができる。
【００１５】
（ポケット群１００）
ポケット群１００は、図１〜図５のように真ん中の頁を見開いた状態において、高さ方向における一方の端縁である上端縁１０２と、当該上端縁１０２に相対する高さ方向における他方の端縁である下端縁１０４と、幅方向における一方の端縁である左端縁１０６と、当該左端縁１０６に相対する幅方向における他方の端縁である右端縁１０８とを含む。ポケット群１００は、幅方向において略中央部分よりも一方側（図２中左側）に形成される一方のポケット群１１０と、幅方向において略中央部分よりも他方側（図２中右側）に形成される他方のポケット群１２０とを含む。
【００１６】
ポケット群１００は、複数のポケット１５０が厚さ方向に積み重ねられることにより形成される。なお、当該積み重ね方の詳細については後述する。複数のポケット１５０それぞれは、透明又は半透明な合成樹脂により形成され、互いに同じ形状及び同じ寸法を有する。複数のポケット１５０それぞれは、幅方向における略中央部分に互いに仮止め固定される仮止め固定領域１４０を有する。なお、仮止め固定領域１４０は、例えば、複数のポケット１５０それぞれを熱溶着などにより互いに仮止め溶着することにより形成されてもよい。このときの仮止め溶着は、例えば、高さ方向に沿って離間した２点をドット状に熱溶着することにより行ってもよい。このとき、熱溶着された２点を結ぶ方向に沿って延びる直線状の部分が仮止め固定領域１４０となる。
【００１７】
複数のポケット１５０それぞれは、仮止め固定領域１４０よりも幅方向における一方側（図２中左側）に形成される一方のポケット部１６０と、仮止め固定領域１４０よりも他方側（図２中右側）に形成される他方のポケット部１７０とを有する。複数の一方のポケット部１６０により上記した一方のポケット群１１０が構成され、複数の他方のポケット部１７０により上記した他方のポケット群１２０が構成される。一方のポケット部１６０は、高さ方向における一方の端縁（図２中上側の端縁）に開口部１６８を有し、他の端縁（図２中下側の端縁、左側の端縁及び右側の端縁）が一体的に接続された略筒状である。そして、一方のポケット部１６０は、開口部１６８を挿入口としてその内部に用紙等を収納することができる。同様に、他方のポケット部１７０は、高さ方向における一方の端縁（図２中上側の端縁）に開口部１７８を有し、他の端縁（図２中下側の端縁、左側の端縁及び右側の端縁）が一体的に接続された略筒状である。そして、他方のポケット部１７０は、開口部１７８を挿入口としてその内部に用紙等を収納することができる。
【００１８】
ポケット群１００は、互いに同じ形状および同じ寸法を有する複数のポケット１５０それぞれが、幅方向に順次ずれて積み重ねられ、且つ幅方向の略中央において仮止め固定領域１４０により互いに仮止め固定されることにより形成される。その結果、図１〜図５のように、ポケットファイル１０の真ん中の頁を見開いた状態において、複数のポケット１５０それぞれの仮止め固定領域１４０から左端縁１０６までの長さ寸法（すなわち、一方のポケット部１６０の幅方向における長さ寸法）が厚さ方向において最も表表紙部３０側に位置するポケット１５０から最も表表紙部３０と離れた側に位置するポケット１５０に向かうほど順次長くなる。さらに、図１〜図５のようにポケットファイル１０の真ん中の頁を見開いた状態において、複数のポケット１５０それぞれの仮止め固定領域１４０から右端縁１０８までの長さ寸法（すなわち、他方のポケット部１７０の幅方向における長さ寸法）が厚さ方向において最も裏表紙部４０側に位置するポケット１５０から最も裏表紙部４０と離れた側に位置するポケット１５０に向かうほど順次短くなる。なお、ポケット群１００の左端縁１０６および右端縁１０８それぞれは、所定の領域を自由に移動することができる（すなわち、ポケット１５０を捲る際に移動することができる）自由端縁である。
【００１９】
ここで、ポケットファイル１０の真ん中の頁が見開いた状態において表表紙部３０側に位置する一方のポケット群１１０を裏表紙部４０側へと捲るように移動させ、裏表紙部４０側に位置する他方のポケット群１２０上に一方のポケット群１１０を積み重ねる。このとき、複数の他方のポケット部１７０それぞれの幅方向における長さ寸法が、厚さ方向において最も裏表紙部４０側（一方端側）に位置する他方のポケット部１７０から最も裏表紙部４０と離れた側に位置する他方のポケット部１７０に向かうほど順次短くなる。さらに、複数の一方のポケット部１６０それぞれの幅方向における長さ寸法が、厚さ方向において最も裏表紙部４０側に位置する一方のポケット部１６０から最も裏表紙部４０と離れた側（他方端側）に位置する一方のポケット部１６０に向かうほど順次短くなる。また、最も裏表紙部４０と離れた側に位置する他方のポケット部１７０の幅方向における長さ寸法は、最も裏表紙部４０側に位置する一方のポケット部１６０のそれよりも長い。すなわち、複数の他方のポケット部１７０それぞれの幅方向における長さ寸法と、複数の一方のポケット部１６０それぞれの幅方向における長さ寸法とは、厚さ方向において裏表紙部４０と離れるほど連続的に順次短くなる。このように、ポケット群１００の指掛け端縁（ポケットファイル１０の真ん中の頁を見開いた状態における左端縁１０６および右端縁１０８）は、裏表紙部４０の右端縁４８に沿った位置で階段状となる。
【００２０】
ポケット群１００は、幅方向における略中央部分が高さ方向に沿って表紙体２０の背表紙部５０の内面に超音波溶着される。このようにして、ポケット群１００と表紙体２０とを互いに固定する固定領域７０が形成される。
【００２１】
ポケット群１００は、図２に示すように、上端縁１０２が表表紙部３０の上端縁３２、背表紙部５０の上端縁５２、及び裏表紙部４０の上端縁４２に沿って幅方向に延在する。また、下端縁１０４が表表紙部３０の下端縁３４、背表紙部５０の下端縁５４、及び裏表紙部４０の下端縁４４に沿って幅方向に延在する。そして、左端縁１０６（他の指掛け端縁）が表紙体２０の表表紙部３０の左端縁３６に沿って高さ方向に延在する。また、右端縁１０８（指掛け端縁）が表紙体２０の裏表紙部４０の右端縁４８に沿って高さ方向に延在する。
【００２２】
複数のポケット１５０それぞれは、厚さ方向の他方端側（最も裏表紙部４０と離れた側）に位置するポケット１５０から一方端側（最も裏表紙部４０側）に向かうほど階段を下りるように形成された指掛け端縁（右端縁１０８）を有する。すなわち、ポケットファイル１０の小口側に向かうに従って厚さ方向の他方側から一方側に一段ずつ下りていくような指掛け端縁（右端縁１０８）である。すなわち、ポケット群１００の右端縁１０８は、ポケットファイル１０の小口側に向かうに従って順次延びる。また、複数のポケット１５０それぞれは、厚さ方向の他方端側（最も裏表紙部４０と離れた側）に位置するポケット１５０から一方端側（最も裏表紙部４０側）に向かうほど階段を上るように形成された他の指掛け端縁（左端縁１０６）を有する。すなわち、ポケットファイル１０の小口側に向かうに従って厚さ方向の他方側から一方側に一段ずつ上るような指掛け端縁（左端縁１０６）である。すなわち、ポケット群１００の左端縁１０６は、ポケットファイル１０の小口側に向かうに従って順次縮まる。
【００２３】
複数のポケット１５０それぞれは、互いに同じ形状および同じ寸法であり、且つ指掛け端縁（右端縁１０８）に相対する端縁において他の指掛け端縁（左端縁１０６）を有し、指掛け端縁と他の指掛け端縁とを結ぶ方向に順次ずれて積み重ねられ、且つ指掛け端縁と他の指掛け端縁との間の略中央部分に固定領域７０を有し、他の指掛け端縁は、複数のポケット１５０それぞれの固定領域７０から他の指掛け端縁までの長さ寸法が厚さ方向において一方端側に位置するポケット１５０から他方端側に位置するポケット１５０に向かうほど順次長くなり、指掛け端縁が傾斜する方向と同じ方向に傾斜する。
【００２４】
ポケット群１００は、矩形状であり、その上端縁１０２と下端縁１０４とが互いに平行であり、且つ自由端縁であり他の指掛け端縁を構成する左端縁１０６と、自由端縁であり指掛け端縁を構成する右端縁１０８と、固定領域７０（および仮止め固定領域１４０）とが互いに平行である。そして、ポケット群１００は、その上端縁１０２および下端縁１０４と、その左端縁１０６、右端縁１０８および固定領域７０（および仮止め固定領域１４０）とが互いに直交する。
【００２５】
（効果）
この実施の形態に係るポケットファイル１０が備えるポケット群１００は、表紙体２０の内面に固定される固定領域７０と、固定領域７０に相対し且つ複数のポケット１５０を捲る際に指が掛けられる他の指掛け端縁を構成する左端縁１０６および指掛け端縁を構成する右端縁１０８とを含む。そして、ポケット群１００の全ての頁を裏表紙部４０側に移動させたとき、ポケット群１００の指掛け端縁（指掛け端縁および他の指掛け端縁）は、複数のポケット１５０それぞれの固定領域７０から指掛け端縁（指掛け端縁および他の指掛け端縁）までの長さ寸法が厚さ方向において一方端側（最も裏表紙部４０側）に位置するポケット１５０から他方端側（最も裏表紙部４０と離れた側）に位置するポケット１５０に向かうほど順次短くなることにより、階段状に形成される。これにより、この実施の形態に係るポケットファイル１０は、複数のポケット１５０それぞれの幅方向における端縁に指が掛かり易くなる。その結果、複数のポケット１５０を一枚一枚連続的に捲る作業や、所望の頁のポケット１５０を見開く作業を容易に行うことが可能となる。
【００２６】
ここで、従来のポケットファイルは、複数のポケットそれぞれの幅方向における一方の端縁（及び他方の端縁）が厚さ方向において重なった状態で積み重ねられていた。そして、複数のポケット１５０それぞれの幅方向における一方の端縁（及び他方の端縁）は、シート状の部材が折り返される部分であるため、他の部分に比べて厚みが増す。したがって、従来のポケットファイルは、ポケットの枚数が多くなるほど、ポケット群の幅方向における一方の端縁（及び他方の端縁）の厚みが他の部分の厚みよりも次第に厚くなってしまうという問題があった。一方、この実施の形態に係るポケットファイル１０は、複数のポケット１５０が幅方向にずれて積み重ねられることにより形成される階段状の指掛け端縁（左端縁４６および右端縁４８）を含むため、このような問題が解消されている。
【００２７】
また、この実施の形態に係るポケットファイル１０は、複数のポケット１５０それぞれの固定領域７０から指掛け端縁までの長さ寸法が、厚さ方向において一方端側（最も裏表紙部４０側）に位置するポケット１５０から他方端側（最も裏表紙部４０と離れた側）に位置するポケット１５０に向かうほど、等間隔に順次短くなる。これにより、この実施の形態に係るポケット１０は、美観を起こさせることができ、且つ連続的な捲り作業をより一層容易に行うことができる。
【００２８】
（第２の実施の形態）
以下、この発明の第２の実施の形態に係るポケットファイルについて、図１４〜１６に基づいて説明する。なお、この実施の形態に掛かるポケットファイル１０は、２つのポケット群（第１のポケット群１１０および第２のポケット群１２０）を備えることを除いて、上記した第１の実施の形態に係るポケットファイル１０と同様の構成を有する。したがって、相当する構成要素には同じ参照番号を付し、同様となる説明は繰り返さない。
【００２９】
図１４は、この発明の第２の実施の形態に係るポケットファイルの真ん中の頁を見開いた状態で内面側から見たときの斜視図である。図１５は、この発明の第２の実施の形態に係るポケットファイルの真ん中の頁を見開いた状態で内面側から見たときの正面図である。図１６は、この発明の第２の実施の形態に係るポケットファイルの底面図であり、（Ａ）が真ん中の頁を見開いたときの図であり、（Ｂ）が裏表紙部側に全ての頁を捲ったときの図である。
【００３０】
この実施の形態に係るポケットファイル１０は、表紙体２０と、表紙体２０の内面に固定される第１のポケット群１００ａと、同じく表紙体２０の内面に固定される第２のポケット群１００ｂとを備える。第１のポケット群１００ａが背表紙部５０の表表紙部３０側の内面に固定され、第２のポケット群１００ｂが背表紙部５０の裏表紙部４０側の内面に固定される。なお、第１のポケット群１００ａと第２のポケット群１００ｂとは、互いに同じ形状及び同じ寸法を有する。
【００３１】
第１のポケット群１００ａは、上記した第１の実施の形態に係るポケット群１００と同じ形状及び同じ寸法であり且つ表紙体２０の内面に同じ態様で固定される。第２のポケット群１００ｂは、第１のポケット群１００ａと幅方向において所定の距離だけ離間して表紙体２０の内面に固定される。第２のポケット群１００ｂについても、上記した第１の実施の形態に係るポケット群１００と同じ形状及び同じ寸法であり且つ表紙体２０の内面に同じ態様で固定される。
【００３２】
ここで、ポケットファイル１０が見開いた状態において表表紙部３０側に位置する第１のポケット群１００ａを裏表紙部４０側へと捲るように移動させ、裏表紙部４０側に位置する第２のポケット群１００ｂ上に第１のポケット群１００ａを積み重ねる。
【００３３】
このとき、第２のポケット群１００ｂが備える複数の他方のポケット部１７０それぞれの幅方向における長さ寸法が、厚さ方向において最も裏表紙部４０側（一方端側）に位置する他方のポケット部１７０から最も裏表紙部４０と離れた側に位置する他方のポケット部１７０に向かうほど順次短くなる。さらに、第２のポケット群１００ｂが備える複数の一方のポケット部１６０それぞれの幅方向における長さ寸法が、厚さ方向において最も裏表紙部４０側に位置する一方のポケット部１６０から最も裏表紙部４０と離れた側（他方端側）に位置する一方のポケット部１６０に向かうほど順次短くなる。また、第２のポケット群１００ｂが備える最も裏表紙部４０と離れた側に位置する他方のポケット部１７０の幅方向における長さ寸法は、最も裏表紙部４０側に位置する一方のポケット部１６０のそれよりも長い。すなわち、第２のポケット群１００ｂが備える複数の他方のポケット部１７０それぞれの幅方向における長さ寸法と、第２のポケット群１００ｂが備える複数の一方のポケット部１６０それぞれの幅方向における長さ寸法とは、厚さ方向において裏表紙部４０と離れるほど連続的に順次短くなる。
【００３４】
第１のポケット群１００ａが備える複数の他方のポケット部１７０それぞれの幅方向における長さ寸法が、厚さ方向において最も裏表紙部４０側（一方端側）に位置する他方のポケット部１７０から最も裏表紙部４０と離れた側に位置する他方のポケット部１７０に向かうほど順次短くなる。さらに、第１のポケット群１００ａが備える複数の一方のポケット部１６０それぞれの幅方向における長さ寸法が、厚さ方向において最も裏表紙部４０側に位置する一方のポケット部１６０から最も裏表紙部４０と離れた側（他方端側）に位置する一方のポケット部１６０に向かうほど順次短くなる。また、第１のポケット群１００ａが備える最も裏表紙部４０と離れた側に位置する他方のポケット部１７０の幅方向における長さ寸法は、最も裏表紙部４０側に位置する一方のポケット部１６０のそれよりも長い。すなわち、第１のポケット群１００ａが備える複数の他方のポケット部１７０それぞれの幅方向における長さ寸法と、第１のポケット群１００ａが備える複数の一方のポケット部１６０それぞれの幅方向における長さ寸法とは、厚さ方向において裏表紙部４０と離れるほど連続的に順次短くなる。
【００３５】
そして、第１のポケット群１００ａが、第２のポケット群１００ｂよりも幅方向において表表紙部３０側に固定されていることにより、第２のポケット群１００ｂが備える最も裏表紙部４０と離れた側に位置する一方のポケット部１６０の幅方向における長さ寸法は、第１のポケット群１００ａが備える最も裏表紙部４０側に位置する他方のポケット部１６０のそれよりも長い。このように、第１のポケット群１００ａおよび第２のポケット群１００ｂのそれぞれの指掛け端縁は、裏表紙部４０の右端縁４８に沿った位置で階段状となる。
【００３６】
このように、第１のポケット群１００ａと第２のポケット群１００ｂとを幅方向においいて所定の距離だけ離間して表紙体２０の内面に固定することにより、より多くの枚数のポケット１５０で階段状の指掛け端縁を形成することができる。なお、同様の態様で、第３のポケット群１００ｃや第４のポケット群１００ｄなど、さらにポケット群１００を追加してもよい。なお、背表紙部５０の表表紙部３０側の内面に固定するポケット群１００の幅方向の寸法は、背表紙部５０の裏表紙部４０側の内面に固定するポケット群１００のそれよりも短くしてもよい。これにより、複数のポケット群１００同士の幅方向において離間する距離を短くしても階段状の指掛け端縁を形成することができるため、ポケットファイル１０の厚みを薄くすることができる。
【００３７】
（第３の実施の形態）
以下、この発明の第３の実施の形態に係るポケットファイルについて、図１７〜２３に基づいて説明する。図１７は、この発明の第３の実施の形態に係るポケットファイルの真ん中の頁を見開いた状態で内面側から見たときの斜視図である。図１８は、この発明の第３の実施の形態に係るポケットファイルを閉じた状態にし、表表紙部の外面側から見たときの斜視図である。図１９は、この発明の第３の実施の形態に係るポケットファイルの真ん中の頁を見開いた状態で内面側から見たときの正面図である。図２０は、この発明の第３の実施の形態に係るポケットファイルの真ん中の頁を見開いた状態で外面側から見たときの正面図である。図２１は、この発明の第３の実施の形態に係るポケットファイルを閉じた状態にし、表表紙部の外面側から見たときの正面図である。図２２は、この発明の第３の実施の形態に係るポケットファイルの図２１に示すＸＸＩＩ−ＸＸＩＩ断面図である。図２３は、この発明の第３の実施の形態に係るポケットファイルの好適な使用態様を示す説明図である。
【００３８】
この実施の形態に係るポケットファイル１０は、表紙体２０と、表紙体２０の内面に固定されるポケット群１００とを備える。以下の説明において、高さ方向とは、ポケットファイル１０を見開いて正面視したときの上下方向のことである。また、幅方向とは、ポケットファイル１０を見開いて正面視したときの左右方向（固定領域と指掛け端縁とを結ぶ方向）のことである。また、厚さ方向とは、ポケット群１００に含まれる複数のポケット１５０が積み重ねられる方向のことである。
【００３９】
（表紙体２０）
表紙体２０は、表表紙部３０と、裏表紙部４０と、表表紙部３０と裏表紙部４０とを一体的に接続する背表紙部５０とを含む。表紙体２０は、例えば、合成樹脂により成形された平板状の部材が、その内面側から高さ方向に沿って熱ヒンジ加工されることにより、表表紙部３０、裏表紙部４０及び背表紙部５０を含むように形成されてもよい。
【００４０】
表表紙部３０は、高さ方向における一方の端縁である上端縁３２と、当該上端縁３２に相対する高さ方向における他方の端縁である下端縁３４と、幅方向における一方の端縁である左端縁３６と、当該左端縁３６に相対する幅方向における他方の端縁（背表紙部５０と一体的に接続される端縁）である右端縁３８とを有する。裏表紙部４０は、高さ方向における一方の端縁である上端縁４２と、当該上端縁４２に相対する高さ方向における他方の端縁である下端縁４４と、幅方向における一方の端縁（背表紙部５０と一体的に接続される端縁）である左端縁４６と、当該左端縁４６に相対する幅方向における他方の端縁である右端縁４８とを有する。背表紙部５０は、高さ方向における一方の端縁である上端縁５２と、当該上端縁５２に相対する高さ方向における他方の端縁である下端縁５４と、幅方向における一方の端縁（表表紙部３０と一体的に接続される端縁）である左端縁と、当該左端縁に相対する幅方向における他方の端縁（裏表紙部４０と一体的に接続される端縁）である右端縁とを有する。背表紙部５０の外面には、見出し部６０が形成される。見出し部６０は、例えば、見出し紙を外部から視認できる状態で収納することができる。見出し紙には、例えば、ポケットファイル１０に収納する書類等のタイトルを記載することができる。
【００４１】
この実施の形態に係る表表紙部３０及び裏表紙部４０のそれぞれは、その上端縁（上端縁３２及び上端縁４２）の側から又はその下端縁（下端縁３４及び下端縁４４）の側から高さ方向に沿って見たとき、厚さ方向に膨れ出た円弧を描くように湾曲する可撓性を有する。
【００４２】
この実施の形態に係る表表紙部３０には、略四角形状の切欠き部８０が形成される。切欠き部８０は、表表紙部３０を、その左端縁３６の高さ方向における略中央部分から背表紙部５０側へと切り欠くように形成される。すなわち、切欠き部８０は、表表紙部３０の背表紙部５０に接続されない側の幅方向における端縁（左端縁３６）およびその近傍部分のうち、高さ方向における略中央部分に配設される。
【００４３】
切欠き部８０は、表表紙部３０の左端縁３６から背表紙部５０側に向かうほど僅かに下方（高さ方向における他方）へと傾斜する上端縁８２（高さ方向における一方の端縁）と、表表紙部３０の左端縁３６から背表紙部５０側に向かうほど僅かに上方（高さ方向における一方）へと傾斜する下端縁８４（高さ方向における他方の端縁）と、当該上端縁８２の背表紙部５０側の端部と当該下端縁８４の背表紙部５０側の端部とを結ぶように高さ方向に沿って延在する幅方向の端縁８８とを有する。したがって、切欠き部８０は、例えば、その幅方向の端縁８８を上底とする略台形状である。
【００４４】
（ポケット群１００）
ポケット群１００は、真ん中の頁を見開いた状態において、高さ方向における一方の端縁である上端縁１０２と、当該上端縁１０２に相対する高さ方向における他方の端縁である下端縁１０４と、幅方向における一方の端縁である左端縁１０６と、当該左端縁１０６に相対する幅方向における他方の端縁である右端縁１０８とを含む。ポケット群１００は、幅方向において略中央部分よりも一方側に形成される一方のポケット群１１０と、幅方向において略中央部分よりも他方側に形成される他方のポケット群１２０とを含む。
【００４５】
ポケット群１００は、複数のポケット１５０が厚さ方向に積み重ねられることにより形成される。なお、当該積み重ね方の詳細については後述する。複数のポケット１５０それぞれは、透明又は半透明な合成樹脂により形成され、互いに同じ形状及び同じ寸法を有する。複数のポケット１５０それぞれは、幅方向における略中央部分に互いに仮止め固定される仮止め固定領域１４０を有する。なお、仮止め固定領域１４０は、例えば、複数のポケット１５０それぞれを熱溶着などにより互いに仮止め溶着することにより形成されてもよい。このときの仮止め溶着は、例えば、高さ方向に沿って離間した２点をドット状に熱溶着することにより行ってもよい。このとき、熱溶着された２点を結ぶ方向に沿って延びる直線状の部分が仮止め固定領域１４０となる。
【００４６】
複数のポケット１５０それぞれは、仮止め固定領域１４０よりも幅方向における一方側に形成される一方のポケット部１６０と、仮止め固定領域１４０よりも他方側に形成される他方のポケット部１７０とを有する。複数の一方のポケット部１６０により上記した一方のポケット群１１０が構成され、複数の他方のポケット部１７０により上記した他方のポケット群１２０が構成される。一方のポケット部１６０は、高さ方向における一方の端縁に開口部１６８を有し、他の端縁が一体的に接続された略筒状である。そして、一方のポケット部１６０は、開口部１６８を挿入口としてその内部に用紙等を収納することができる。同様に、他方のポケット部１７０は、高さ方向における一方の端縁に開口部１７８を有し、他の端縁が一体的に接続された略筒状である。そして、他方のポケット部１７０は、開口部１７８を挿入口としてその内部に用紙等を収納することができる。
【００４７】
ポケット群１００は、互いに同じ形状および同じ寸法を有する複数のポケット１５０それぞれが、幅方向に順次ずれて積み重ねられ、且つ幅方向の略中央において仮止め固定領域１４０により互いに仮止め固定されることにより形成される。その結果、ポケットファイル１０の真ん中の頁を見開いた状態において、複数のポケット１５０それぞれの仮止め固定領域１４０から左端縁１０６までの長さ寸法（すなわち、一方のポケット部１６０の幅方向における長さ寸法）が厚さ方向において最も表表紙部３０側に位置するポケット１５０から最も表表紙部３０と離れた側に位置するポケット１５０に向かうほど順次長くなる。さらに、ポケットファイル１０の真ん中の頁を見開いた状態において、複数のポケット１５０それぞれの仮止め固定領域１４０から右端縁１０８までの長さ寸法（すなわち、他方のポケット部１７０の幅方向における長さ寸法）が厚さ方向において最も裏表紙部４０側に位置するポケット１５０から最も裏表紙部４０と離れた側に位置するポケット１５０に向かうほど順次短くなる。なお、ポケット群１００の左端縁１０６および右端縁１０８それぞれは、所定の領域を自由に移動することができる（すなわち、ポケット１５０を捲る際に移動することができる）自由端縁である。
【００４８】
ここで、ポケットファイル１０の真ん中の頁が見開いた状態において表表紙部３０側に位置する一方のポケット群１１０を裏表紙部４０側へと捲るように移動させ、裏表紙部４０側に位置する他方のポケット群１２０上に一方のポケット群１１０を積み重ねる。このとき、複数の他方のポケット部１７０それぞれの幅方向における長さ寸法が、厚さ方向において最も裏表紙部４０側（一方端側）に位置する他方のポケット部１７０から最も裏表紙部４０と離れた側に位置する他方のポケット部１７０に向かうほど順次短くなる。さらに、複数の一方のポケット部１６０それぞれの幅方向における長さ寸法が、厚さ方向において最も裏表紙部４０側に位置する一方のポケット部１６０から最も裏表紙部４０と離れた側（他方端側）に位置する一方のポケット部１６０に向かうほど順次短くなる。また、最も裏表紙部４０と離れた側に位置する他方のポケット部１７０の幅方向における長さ寸法は、最も裏表紙部４０側に位置する一方のポケット部１６０のそれよりも長い。すなわち、複数の他方のポケット部１７０それぞれの幅方向における長さ寸法と、複数の一方のポケット部１６０それぞれの幅方向における長さ寸法とは、厚さ方向において裏表紙部４０と離れるほど連続的に順次短くなる。このように、ポケット群１００の指掛け端縁（ポケットファイル１０の真ん中の頁を見開いた状態における左端縁１０６および右端縁１０８）は、裏表紙部４０の右端縁４８に沿った位置で階段状となる。
【００４９】
ポケット群１００は、幅方向における略中央部分が高さ方向に沿って表紙体２０の背表紙部５０の内面に超音波溶着される。このようにして、ポケット群１００と表紙体２０とを互いに固定する固定領域７０が形成される。
【００５０】
ポケット群１００は、上端縁１０２が表表紙部３０の上端縁３２、背表紙部５０の上端縁５２、及び裏表紙部４０の上端縁４２に沿って幅方向に延在する。また、下端縁１０４が表表紙部３０の下端縁３４、背表紙部５０の下端縁５４、及び裏表紙部４０の下端縁４４に沿って幅方向に延在する。そして、左端縁１０６（他の指掛け端縁）が表紙体２０の表表紙部３０の左端縁３６に沿って高さ方向に延在する。また、右端縁１０８（指掛け端縁）が表紙体２０の裏表紙部４０の右端縁４８に沿って高さ方向に延在する。
【００５１】
複数のポケット１５０それぞれは、厚さ方向の他方端側（最も裏表紙部４０と離れた側）に位置するポケット１５０から一方端側（最も裏表紙部４０側）に向かうほど階段を下りるように形成された指掛け端縁（右端縁１０８）を有する。すなわち、ポケットファイル１０の小口側に向かうに従って厚さ方向の他方側から一方側に一段ずつ下りていくような指掛け端縁（右端縁１０８）である。すなわち、ポケット群１００の右端縁１０８は、ポケットファイル１０の小口側に向かうに従って順次延びる。また、複数のポケット１５０それぞれは、厚さ方向の他方端側（最も裏表紙部４０と離れた側）に位置するポケット１５０から一方端側（最も裏表紙部４０側）に向かうほど階段を上るように形成された他の指掛け端縁（左端縁１０６）を有する。すなわち、ポケットファイル１０の小口側に向かうに従って厚さ方向の他方側から一方側に一段ずつ上るような指掛け端縁（左端縁１０６）である。すなわち、ポケット群１００の左端縁１０６は、ポケットファイル１０の小口側に向かうに従って順次縮まる。
【００５２】
複数のポケット１５０それぞれは、互いに同じ形状および同じ寸法であり、且つ指掛け端縁（右端縁１０８）に相対する端縁において他の指掛け端縁（左端縁１０６）を有し、指掛け端縁と他の指掛け端縁とを結ぶ方向に順次ずれて積み重ねられ、且つ指掛け端縁と他の指掛け端縁との間の略中央部分に固定領域７０を有し、他の指掛け端縁は、複数のポケット１５０それぞれの固定領域７０から他の指掛け端縁までの長さ寸法が厚さ方向において一方端側に位置するポケット１５０から他方端側に位置するポケット１５０に向かうほど順次長くなり、指掛け端縁が傾斜する方向と同じ方向に傾斜する。
【００５３】
ポケット群１００は、矩形状であり、その上端縁１０２と下端縁１０４とが互いに平行であり、且つ自由端縁であり他の指掛け端縁を構成する左端縁１０６と、自由端縁であり指掛け端縁を構成する右端縁１０８と、固定領域７０（および仮止め固定領域１４０）とが互いに平行である。そして、ポケット群１００は、その上端縁１０２および下端縁１０４と、その左端縁１０６、右端縁１０８および固定領域７０（および仮止め固定領域１４０）とが互いに直交する。
【００５４】
この実施の形態に係るポケットファイル１０は、表紙体２０を閉じて（すなわち、表表紙部３０及び裏表紙部４０並びにポケット群１００の全頁を厚さ方向に重ね合わせた状態にして）、表表紙部３０の外面側から厚さ方向に見下ろすと、表表紙部３０に形成された切欠き部８０からポケット群１００の階段状にされた指掛け端縁（指掛け端縁および他の指掛け端縁）の一部が視認できる状態になる。なお、ポケット群１００の階段状にされた指掛け端縁の他の部分は、表表紙部３０の左端縁３６の近傍部分に覆われ、視認できない状態になる。
【００５５】
この状態において、最も表表紙部３０側に位置するポケット１５０の指掛け端縁の幅方向の位置は、切欠き部８０の幅方向の端縁８８のそれと同じになる。すなわち、この実施の形態に係るポケットファイル１０は、表紙体２０を閉じて、表表紙部３０の外面側から厚さ方向に見下ろすと、最も表表紙部３０側に位置するポケット１５０の指掛け端縁のみが視認できない状態になり、当該指掛け端縁よりも幅方向において背表紙部５０から離れて位置する残りの指掛け端縁が視認できる状態になる。したがって、切欠き部８０の幅方向の端縁８８が階段状に形成された当該残りの指掛け端縁とさらに階段状になる。
【００５６】
上記したように、この実施の形態に係る表表紙部３０及び裏表紙部４０のそれぞれは、その上端縁の側から又はその下端縁の側から高さ方向に沿って見たとき、厚さ方向に膨れ出た円弧を描くように湾曲する可撓性を有する。ここで、例えば、表紙体２０を閉じた状態にして、背表紙部５０およびその近傍部分を厚さ方向において左手で挟持し、且つ表表紙部３０に形成された切欠き部８０の幅方向の端縁８８およびポケット群１００の指掛け端縁の一部に右手親指を掛けて表表紙部３０から裏表紙部４０に向かう厚さ方向に押圧すると、表表紙部３０及び裏表紙部４０並びにポケット群１００が好適に撓む。具体的には、表表紙部３０及び裏表紙部４０並びにポケット群１００は、下端縁（下端縁３４、下端縁４４及び下端縁１０４）側から高さ方向に見て、裏表紙部４０から表表紙部３０に向かう厚さ方向に膨れ出た円弧を描くように好適に撓む。
【００５７】
このとき、表表紙部３０の外面側から厚さ方向に見下ろして視認できるポケット群１００の指掛け端縁の幅方向における寸法が、撓ませる前に比べて大きくなる。これは、上記したようにポケットファイル１０を撓ませた場合、表表紙部３０から裏表紙部４０に向かうほど大きく撓むことにより、表表紙部３０から裏表紙部４０に向かうほど背表紙部５０に接続されない側の端縁が幅方向において背表紙部５０から離れる側に大きくずれるためである。そして、表表紙部３０の外面側から厚さ方向に見下ろして、撓ませる前に視認することができなかった最も表表紙部３０側に位置するポケット１５０の指掛け端縁が視認できるようになる。したがって、上記したように撓ませたとき、表表紙部３０に形成された切欠き部８０の幅方向の端縁８８と、（最も表表紙部３０側に位置するポケット１５０を含む）ポケット群１００全頁の指掛け端縁とが階段状になる。
【００５８】
（効果）
この実施の形態に係るポケットファイル１０が備えるポケット群１００は、表紙体２０の内面に固定される固定領域７０と、固定領域７０に相対し且つ複数のポケット１５０を捲る際に指が掛けられる他の指掛け端縁を構成する左端縁１０６および指掛け端縁を構成する右端縁１０８とを含む。そして、ポケット群１００の全ての頁を裏表紙部４０側に移動させたとき、ポケット群１００の指掛け端縁（指掛け端縁および他の指掛け端縁）は、複数のポケット１５０それぞれの固定領域７０から指掛け端縁（指掛け端縁および他の指掛け端縁）までの長さ寸法が厚さ方向において一方端側（最も裏表紙部４０側）に位置するポケット１５０から他方端側（最も裏表紙部４０と離れた側）に位置するポケット１５０に向かうほど順次短くなることにより、階段状に形成される。これにより、この実施の形態に係るポケットファイル１０は、複数のポケット１５０それぞれの幅方向における端縁に指が掛かり易くなる。その結果、複数のポケット１５０を一枚一枚連続的に捲る作業や、所望の頁のポケット１５０を見開く作業を容易に行うことが可能となる。
【００５９】
ここで、従来のポケットファイルは、複数のポケットそれぞれの幅方向における一方の端縁（及び他方の端縁）が厚さ方向において重なった状態で積み重ねられていた。そして、複数のポケット１５０それぞれの幅方向における一方の端縁（及び他方の端縁）は、シート状の部材が折り返される部分であるため、他の部分に比べて厚みが増す。したがって、従来のポケットファイルは、ポケットの枚数が多くなるほど、ポケット群の幅方向における一方の端縁（及び他方の端縁）の厚みが他の部分の厚みよりも次第に厚くなってしまうという問題があった。一方、この実施の形態に係るポケットファイル１０は、複数のポケット１５０が幅方向にずれて積み重ねられることにより形成される階段状の指掛け端縁（左端縁４６および右端縁４８）を含むため、このような問題が解消されている。
【００６０】
また、この実施の形態に係るポケットファイル１０は、複数のポケット１５０それぞれの固定領域７０から指掛け端縁までの長さ寸法が、厚さ方向において一方端側（最も裏表紙部４０側）に位置するポケット１５０から他方端側（最も裏表紙部４０と離れた側）に位置するポケット１５０に向かうほど、等間隔に順次短くなる。これにより、この実施の形態に係るポケット１０は、美観を起こさせることができ、且つ連続的な捲り作業をより一層容易に行うことができる。
【００６１】
さらに、この実施の形態に係るポケットファイル１０は、表表紙部３０の背表紙部５０に接続されない側の幅方向における端縁（すなわち、左端縁３６）の高さ方向における略中央部分に切欠き部８０が形成される。そして、表紙体２０を閉じた状態にしたとき（すなわち、表表紙部３０及び裏表紙部４０並びにポケット群１００の全頁を厚さ方向に重ね合わせた状態にしたとき）、切欠き部８０の幅方向の端縁８８が、最も表表紙部３０側に位置するポケット１５０の指掛け端縁と幅方向において同じ位置になる。これにより、当該切欠き部８０の幅方向の端縁８８と、ポケット群１００の指掛け端縁とが階段状になる。したがって、この実施の形態に係るポケットファイル１０は、表紙体２０を閉じた状態にしていたとしても（特に、全頁が厚さ方向に重ね合わされたポケット群１００に被さるように表表紙部３０が位置していたとしても）、ポケット群１００の指掛け端縁に指を掛けることができる。その結果、この実施の形態に係るポケットファイル１０は、複数のポケット１５０を一枚一枚連続的に捲る作業や、所望の頁のポケット１５０を見開く作業をより一層容易に行うことが可能となる。
【００６２】
また、この実施の形態に係る表表紙部３０及び裏表紙部４０のそれぞれは、その上端縁（上端縁３２及び上端縁４２）の側から又はその下端縁（下端縁３４、下端縁４４）の側から高さ方向に沿って見たとき、厚さ方向に膨れ出た円弧を描くように湾曲する可撓性を有する。したがって、表表紙部３０及び裏表紙部４０並びにポケット群１００を上端縁側又は下端縁側から高さ方向に見て、裏表紙部４０から表表紙部３０に向かう厚さ方向に膨れ出た円弧を描くように撓ませると、表表紙部３０の外面側から厚さ方向に見下ろして視認できるポケット群１００の指掛け端縁の幅方向における寸法が撓ませる前に比べて大きくなる。また、このように撓ませたとき、表表紙部３０に形成された切欠き部８０の幅方向の端縁８８と、（最も表表紙部３０側に位置するポケット１５０を含む）ポケット群１００全頁の指掛け端縁とが階段状になる。その結果、この実施の形態に係るポケットファイル１０は、複数のポケット１５０を一枚一枚連続的に捲る作業や、所望の頁のポケット１５０を見開く作業をより一層容易に行うことが可能となる。
【００６３】
（表紙体の変形例）
この実施の形態に係る表紙体２０は、その表表紙部３０に形成される切欠き部８０が、表表紙部３０の背表紙部５０に接続されない側の幅方向における端縁（左端縁３６）およびその近傍部分のうち、高さ方向における略中央部分に配設される場合について説明したが、この場合に限定されない。すなわち、切欠き部８０は、表表紙部３０の背表紙部５０に接続されない側の幅方向における端縁（左端縁３６）およびその近傍部分のうち、高さ方向における他の部分（例えば、左端縁３６のうち上端縁３２の近傍部分又は下端縁３４の近傍部分）に形成されてもよい。また、複数の切欠き部８０が形成されてもよい。
【００６４】
また、この実施の形態に係る表紙体２０は、その切欠き部８０が略台形状である場合について説明したが、この場合に限定されない。すなわち、切欠き部８０は、表紙体２０を閉じた状態にしたとき（すなわち、表表紙部３０及び裏表紙部４０並びにポケット群１００の全頁を厚さ方向に重ね合わせた状態にしたとき）、ポケット群１００の階段状にされた指掛け端縁とさらに階段状になる幅方向の端縁８８を含む形状であれば、他の形状であってもよい。例えば、切欠き部８０は、その上端縁８２及び下端縁８４が幅方向に沿って延在するような略正方形状や略矩形状であってもよいし、又はその上端縁８２及び下端縁８４の少なくとも一方に角部を有する他の多角形状であってもよい。
【００６５】
さらに、この実施の形態では、表紙体２０を閉じて、表表紙部３０の外面側から厚さ方向に見下ろすと、最も表表紙部３０側に位置するポケット１５０の指掛け端縁のみが視認できない状態になり、当該指掛け端縁よりも幅方向において背表紙部５０から離れて位置する残りの指掛け端縁が視認できる状態になる場合について説明した。このような構造を有することにより、この実施の形態では、切欠き部８０の幅方向の端縁８８が階段状に形成された当該残りの指掛け端縁とさらに階段状になる。しかしながら、このような場合に限定されず、切欠き部８０の幅方向の端縁８８を最も表表紙部３０側に位置するポケット１５０の指掛け端縁よりも背表紙部５０に近くなるように配設してもよい。これにより、切欠き部８０の幅方向の端縁８８が、階段状に形成された（最も表表紙部３０側に位置するポケット１５０を含む）全頁のポケット群１００の指掛け端縁とさらに階段状になる。
【００６６】
（ポケット群１００の変形例）
上記した実施の形態（第１の実施の形態、第２の実施の形態及び第３の実施の形態）では、互いに同じ形状及び同じ寸法を有する複数のポケット１５０が厚さ方向に積み重ねられ、幅方向における略中央部分が高さ方向に沿って仮止め固定されることによりポケット群１００が形成される場合について説明した。しかしながら、この場合に限定されず、ポケット群１００は、厚さ方向において一方端側（最も裏表紙部４０側）に位置するポケット１５０から他方端側（最も裏表紙部４０と離れた側）に位置するポケット１５０に向かうほど順次幅方向の寸法が短くなるようにし、複数のポケット１５０それぞれの幅方向における一方の端縁（仮止め固定領域１４０側の端縁）を揃えた状態でその一方の端縁を仮止め固定することにより、幅方向における他方端側に階段状の指掛け端縁を形成されてもよい。このようなポケット群１００は、例えば、同じ形状及び寸法を有する複数のポケット１５０を幅方向に順次ずらして積み重ねたあと、幅方向における一方の端縁の近傍を厚さ方向に沿って切り落とすことにより形成してもよい。
【００６７】
このようなポケット群１００を備えるポケットファイル１０を図２４に示す。図２４は、この発明の変形例に係るポケットファイルの正面図である。この変形例に係るポケット群１００は、図２４に示すように、複数のポケット１５０それぞれの幅方向における寸法が厚さ方向の一方端側（最も裏表紙部４０側）に位置するポケット１５０から他方端側（最も裏表紙部４０と離れた側）に位置するポケット１５０に向かうほど順次短くなり、且つ幅方向における一方の端縁（図２４中左側の端縁であり、固定端縁７０）を互いに揃えられる。このような構造により、この変形例に係るポケットファイル１０は、幅方向における他方の端縁（図２４中右側の端縁）に階段状の指掛け端縁が形成される。なお、このようなポケット群１００に綴じ孔を設けることにより、例えば、ポケット群１００を綴じ具に綴じて用いてもよい。
【００６８】
上記した実施の形態（同上）では、表紙体２０の内面に超音波溶着によりポケット群１００を固定する場合について説明したが、これに限定されない。すなわち、ポケット群１００は、表紙体２０の内面に、例えば、熱溶着などの他の溶着方法により固定してもよいし、リベット構造を用いて固定してもよいし、リング状の部材を有する綴じ具を用いて固定してもよい。なお、ポケット群１００が綴じ具を用いて固定される場合、複数のポケット１５０それぞれが綴じ具に綴じられていない状態において互いに独立した状態であってもよい。そして、このような複数のポケット１５０それぞれは、綴じ具に綴じられた状態になったとき互いに固定された状態となる。
【００６９】
上記した実施の形態（同上）では、一方のポケット部１６０が高さ方向における一方の端縁（図中上側の端縁）に開口部１６８を有し、同様に、他方のポケット部１７０が高さ方向における他方の端縁（図中上側の端縁）に開口部１７８を有する場合について説明した。しかしながら、この場合に限定されず、例えば、一方のポケット部１６０が幅方向における他方の端縁の近傍（仮止め固定領域１４０の近傍）に高さ方向に沿った開口部１６８を有してもよいし、同様に、他方のポケット部１７０が仮止め固定領域１４０の近傍に高さ方向に沿った開口部１７８を有してもよい。
【００７０】
上記した実施の形態（同上）では、幅方向における端縁が階段状の指掛け端縁となる場合について説明した。しかしながら、この場合に限定されず、ポケットファイル１０は、例えば、高さ方向における端縁が階段状の指掛け端縁となるように形成してもよい。
【００７１】
上記では、複数のポケット１５０が厚さ方向に積み重ねられることにより形成されたポケット群１００と、当該ポケット群１００が固定される表紙体２０とを備えるポケットファイル１０について説明した。しかしながら、上記したポケット群１００は、それ自身単体でも用いることが可能である。また、例えば、ポケット群１００は、例えば、リング状の部材を有する綴じ具に綴じるための孔を有し、綴じ具に対して取換え可能な態様で製品化されてもよい。なお、ポケット群１００が綴じ具を用いて固定される場合、複数のポケット１５０それぞれが綴じ具に綴じられていない状態において互いに独立した状態であってもよい。そして、このような複数のポケット１５０それぞれは、綴じ具に綴じられた状態になったとき互いに固定された状態となる。
【００７２】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００７３】
１０  ポケットファイル
２０  表紙体
３０  表表紙部
３２  上端縁（高さ方向における一方の端縁）
３４  下端縁（高さ方向における他方の端縁）
３６  左端縁（幅方向における一方の端縁）
３８  右端縁（幅方向における他方の端縁）
４０  裏表紙部
４２  上端縁（高さ方向における一方の端縁）
４４  下端縁（高さ方向における他方の端縁）
４６  左端縁（幅方向における一方の端縁）
４８  右端縁（幅方向における他方の端縁）
５０  背表紙部
５２  上端縁（高さ方向における一方の端縁）
５４  下端縁（高さ方向における他方の端縁）
６０  見出し部
７０  固定領域
８０  切欠き部
８２  上端縁（高さ方向における一方の端縁）
８４  下端縁（高さ方向における他方の端縁）
８８  幅方向の端縁
１００  ポケット群
１００ａ  第１のポケット群
１００ｂ  第２のポケット群
１０２  上端縁（高さ方向における一方の端縁）
１０４  下端縁（高さ方向における他方の端縁）
１０６  左端縁（他の指掛け端縁）
１０８  右端縁（指掛け端縁）
１１０  一方のポケット群
１２０  他方のポケット群
１４０  仮止め固定領域
１５０  ポケット
１６０  一方のポケット部
１６８  開口部
１７０  他方のポケット部
１７８  開口部
【図１】
2017165088.tif 000003
【図２】
2017165088.tif 000004
【図３】
2017165088.tif 000005
【図４】
2017165088.tif 000006
【図５】
2017165088.tif 000007
【図６】
2017165088.tif 000008
【図７】
2017165088.tif 000009
【図８】
2017165088.tif 000010
【図９】
2017165088.tif 000011
【図１０】
2017165088.tif 000012
【図１１】
2017165088.tif 000013
【図１２】
2017165088.tif 000014
【図１３】
2017165088.tif 000015
【図１４】
2017165088.tif 000016
【図１５】
2017165088.tif 000017
【図１６】
2017165088.tif 000018
【図１７】
2017165088.tif 000019
【図１８】
2017165088.tif 000020
【図１９】
2017165088.tif 000021
【図２０】
2017165088.tif 000022
【図２１】
2017165088.tif 000023
【図２２】
2017165088.tif 000024
【図２３】
2017165088.tif 000025
【図２４】
2017165088.tif 000026